【手続補正書】
【提出日】平成16年12月15日(2004.12.15)
【手続補正１】
【補正対象書類名】明細書
【補正対象項目名】特許請求の範囲
【補正方法】変更
【補正の内容】
【特許請求の範囲】
【請求項１】
商品及び／又はサービスを扱う一の業務に属する商店等と、該商店等のホームページがインターネット上に掲載されるホームページ掲載手段と、
前記商店等の業務に対応させて作られ、又は該商店等の業務を含む複数の業務に対応させて作られその内から任意の業務を選択可能で、前記ホームページの作成を支援するソフトウェアとを備え、
前記ホームページは、前記業務に対応するように少なくとも表示項目及び／又は入力欄の一部又はすべてが選択可能に予め用意されたことを特徴とするインターネットシステム。
【請求項２】
前記商店等の属する業務が複数存在するとき、該商店等の属する業務を選択可能な業務選択手段を備え、
前記ホームページは、該業務選択手段で選択した業務に対応された少なくとも表示項目及び／又は入力欄が表示され、複数の業務にわたり掲載可能であることを特徴とする請求項１記載のインターネットシステム。
【請求項３】
前記ソフトウェアには前記商店等で扱われる前記商品及び／又はサービスをカタログ、チラシ等の形式に編集する編集手段を備えたことを特徴とする請求項１又は請求項２記載のインターネットシステム。
【請求項４】
前記ソフトウェアには、前記ホームページをアップロードするアップロード手段を備えたことを特徴とする請求項１、２又は３記載のインターネットシステム。
【請求項５】
ホームページを提供するホームページ提供者と、
該ホームページ提供者のホームページがインターネット上に掲載されるホームページ掲載手段と、
前記ホームページの作成支援及び／又は該ホームページのアップロードをするソフトウェアとを備え、
該ソフトウェアには、前記ホームページのデータサイズに応じて掲載料金を判定する掲載料金判定手段と、
該掲載料金判定手段で判定された掲載料金を前記ホームページ提供者に対し表示する掲載料金表示手段を有することを特徴とするインターネットシステム。
【請求項６】
前記ソフトウェアには、前記掲載料金表示手段により掲載料金を確認した前記ホームページ提供者が項目及び／又は画像の追加及び／又は削除が可能な修正手段を有することを特徴とする請求項５記載のインターネットシステム。
【請求項７】
ホームページを提供するホームページ提供者と、
該ホームページ提供者のホームページをインターネット上に掲載するＷＷＷサーバと、
該ホームページに配設され、閲覧者によるアクセス数を積算するカウンタと、該アクセス数と前記ホームページ掲載料の関係を予め定めたテーブルとを備え、前記カウンタから読み取った第１のアクセス数又は該第１のアクセス数に所定の制限が加味された第２のアクセス数から前記テーブルを基に前記ホームページ掲載料が算出されることを特徴とするインターネットシステム。
【請求項８】
ホームページを提供するホームページ提供者と、
該ホームページ提供者のホームページをインターネット上に掲載するＷＷＷサーバと、
該ホームページに配設され、閲覧者によるアクセス数を積算するカウンタと、該カウンタから読み取った第１のアクセス数又は該第１のアクセス数に所定の制限が加味された第２のアクセス数を予め定めた所定値と比較する比較手段と、
該比較手段により前記第１のアクセス数又は前記第２のアクセス数が前記所定値以上になったとき前記ＷＷＷサーバで提供するホームページ及び／又は情報の掲載を制限することを特徴とするインターネットシステム。
【請求項９】
商品及び／又はサービスを扱う商店等と、
インターネット上に掲載された該商店等のホームページと、
該商店等のホームページを閲覧するユーザと、
前記商品及び／又はサービスに関し前記商店等又は前記ホームページを掲載するＷＷＷサーバにより設定され、該ホームページに提示された希望販売価格又は希望販売率と、
該希望販売価格又は希望販売率より低い金額又は販売率にて前記ユーザとの間で値段交渉を可能とする値段交渉手段とを備えたことを特徴とするインターネットシステム。
【請求項１０】
前記希望販売価格又は希望販売率を参考に前記商品及び／又はサービスに関し前記ユーザが指定する希望購入価格又は希望購入率を更に備え、
前記値段交渉手段は、前記商品及び／又はサービスに関し、前記希望販売価格又は希望販売率より低く前記商品及び／又はサービスの販売が可能な所定価格若しくは所定販売率と、
前記希望購入価格又は希望購入率が該所定価格若しくは所定販売率以上か否かを判断する判断手段と、
該判断手段で前記希望購入価格又は希望購入率が前記所定価格若しくは所定販売率以上のとき販売を許可する販売許可手段を備えたことを特徴とする請求項９記載のインターネットシステム。
【請求項１１】
前記値段交渉手段には、前記ユーザの操作により又は所定の条件により値段交渉を開始する起動手段を備え、
前記希望販売価格又は希望販売率より低い金額又は販売率は、前記商店等又は前記ＷＷＷサーバにより予め定められた金額又は販売率、又は所定の演算により定められた金額又は販売率であり、前記ユーザに対し提示されることを特徴とする請求項９記載のインターネットシステム。
【請求項１２】
前記希望販売価格又は希望販売率を参考に前記商品及び／又はサービスに関し前記ユーザが指定する希望購入価格又は希望購入率を更に備え、
前記値段交渉手段では、該希望購入価格又は希望購入率で前記商品及び／又はサービスが売れるかどうかを判断し、売れないときには前記希望販売価格又は希望販売率以下で前記希望購入価格又は希望購入率以上の所定の金額又は販売率を前記ユーザに対し提示することを特徴とする請求項９記載のインターネットシステム。
【請求項１３】
前記希望販売価格又は希望販売率を参考に前記商品及び／又はサービスに関し前記ユーザが指定する希望購入価格又は希望購入率を更に備え、
前記値段交渉手段は、前記商品及び／又はサービスに関し、前記希望販売価格又は希望販売率より低く前記商品及び／又はサービスの販売が可能な最低の価格若しくは販売率である底値又は底販売率と、
該底値又は底販売率以上でかつ前記希望販売価格又は希望販売率以下に定められる交渉値と、
前記希望購入価格又は希望購入率が該交渉値以上か否かを判断する判断手段と、
該判断手段で前記希望購入価格又は希望購入率が前記交渉値以上のとき販売を許可する販売許可手段を備えたことを特徴とする請求項９記載のインターネットシステム。
【請求項１４】
ホームページ提供者と、
インターネット上に掲載された該ホームページ提供者のホームページと、
該ホームページを閲覧するユーザと、
該ユーザに対し前記ホームページ提供者又は前記ホームページを掲載するＷＷＷサーバより送信され、前記ホームページ提供者により提供された情報が含まれる電子メールと、
前記ユーザに対し前記ホームページ上で該電子メールに掲載を希望する情報項目を選択させる情報項目選択手段とを備えたことを特徴とするインターネットシステム。
【請求項１５】
商品及び／又はサービスを扱う一の業務に属する商店等と、
該商店等のホームページをインターネット上に掲載するＷＷＷサーバと、
該ＷＷＷサーバ側に配設され、現在の月日、時間を表示する時計手段と、
前記商店等により提供された開店セール、日替わりセール、タイムサービス、朝市等の特売情報を保存したデータベースと、
該データベースより前記特売情報に属する月日及び／又は時間を抽出する抽出手段と、
該抽出手段で抽出した月日及び／又は時間を前記時計手段による月日及び／又は時間と比較する比較手段と、
該比較手段の比較により、前記特売情報の利用の開始及び／又は前記特売情報が古いデータであるときは該データを前記データベースより削除、前記ホームページにおける該データの利用の停止又は表示を止める特売情報利用開始停止等手段とを備えたことを特徴とするインターネットシステム。
【請求項１６】
ホームページの作成を支援し、ユーザの情報処理端末に導入されたソフトウェアと、
該ソフトウェアにより作成された前記ホームページをアップロードするアップロード手段と、
前記ソフトウェアには、前記ホームページに挿入された画像の編集を依頼する画像編集依頼手段を備えたことを特徴とするインターネットシステム。
【請求項１７】
前記値段交渉手段には、金額の端数を削除する金額端数削除手段を備えたことを特徴とする請求項９、１０、１１、１２又は１３に記載のインターネットシステム。
【請求項１８】
前記値段交渉手段には、値段交渉の履歴を保存する値段交渉履歴保存手段と、
前記ユーザが前記商品及び／又はサービスについて過去に行った値段交渉の結果との対比を要求する対比要求手段と、
該対比要求手段による要求のされたとき、前記値段交渉履歴保存手段で保存された過去の値段交渉データから前記ユーザが前記商品及び／又はサービスについて過去に行った値段交渉の結果である金額又は販売率を抽出する金額等抽出手段と、
該金額等抽出手段で抽出された金額又は販売率が現在行われている値段交渉の金額又は販売率以下のとき、過去の値段交渉による前記金額又は販売率以下となる所定の金額又は販売率を算出する金額等算出手段と、
該金額等算出手段で算出された金額又は販売率が、前記ユーザに対し提示されることを特徴とする請求項９、１０、１１、１２又は１３に記載のインターネットシステム。
【請求項１９】
前記値段交渉手段には、他の商店等の希望販売価格若しくは希望販売率との対比を要求する対比要求手段と、
該対比要求手段による要求のされたとき、前記商品及び／又はサービスに関する前記他の商店等の希望販売価格若しくは希望販売率を抽出する希望販売価格等抽出手段と、
該希望販売価格等抽出手段で抽出された前記他の商店等の希望販売価格若しくは希望販売率を前記商店等の前記商品及び／又はサービスに関する希望販売価格若しくは希望販売率及び／又は前記ユーザにより該商品及び／又はサービスについて現在行われている値段交渉の金額若しくは販売率と比較する比較手段と、
該比較手段の比較により前記他の商店等の希望販売価格若しくは希望販売率が、前記商店等の希望販売価格若しくは希望販売率及び／又は前記値段交渉の金額若しくは販売率以下のとき、前記他の商店等の希望販売価格若しくは希望販売率以下となる所定の金額又は販売率を算出する金額等算出手段と、
該金額等算出手段で算出された金額又は販売率が、前記ユーザに対し提示されることを特徴とする請求項９、１０、１１、１２又は１３に記載のインターネットシステム。
【請求項２０】
前記各値段交渉手段で算出された金額若しくは販売率に対し、更なる値引きをユーザが要求可能とする値引再要求手段を備えたことを特徴とする請求項９、１０、１１、１２、１３、１７、１８又は１９に記載のインターネットシステム。
【請求項２１】
前記各値段交渉手段による値引き交渉の成立した価格を基に価格差を算出する価格差算出手段と、
該価格差算出手段で算出された価格差又は該価格差を基に算出されたデータを前記ユーザ毎に蓄積する蓄積手段とを備えたことを特徴とする請求項９、１０、１１、１２、１３、１７、１８、１９又は２０に記載のインターネットシステム。
【請求項２２】
インターネット上で商品の購入が可能な商品等購入手段と、
前記商品を配達可能な予め定められた配達可能区域と、
配達先の住所地を指定する配達先指定手段と、
該配達先指定手段で指定された配達先の住所地が前記配達可能区域内か否かを判断する判断手段と、
該判断手段で前記配達先の住所地が前記配達可能区域外のとき配達可能区域外の旨の表示を行う表示手段とを備えたことを特徴とするインターネットシステム。
【請求項２３】
インターネット上で商品の購入が可能な商品等購入手段と、
前記商品が帰属する複数の商店等と、
前記商品を配達先までまとめて配達依頼する配達依頼手段と、
前記各商店等の配達をそれぞれ担当可能な地域担当が保存された地域担当データベースと、
該地域担当データベースから前記商店等を基に前記商品をまとめて配達可能な地域担当を検索する地域担当検索手段と、
該地域担当検索手段で検索された前記地域担当に対し、少なくとも前記商店等の名称、前記商品、前記配達先を連絡する連絡手段とを備えたことを特徴とするインターネットシステム。
【請求項２４】
前記地域担当検索手段で検索された前記地域担当のみでは前記商品のすべてをまとめて配達できないとき、該地域担当では配達できない前記商店等を抽出する地域外商店等抽出手段と、
該地域外商店等抽出手段で抽出された商店等の配達を担当可能な地域外担当を前記地域担当データベースより検索する地域外担当検索手段と、
該地域外担当検索手段で検索された前記地域外担当に対し、少なくとも前記商店等の名称、前記商品、前記配達先を連絡する連絡手段とを備えたことを特徴とする請求項２３記載のインターネットシステム。
【請求項２５】
前記ソフトウェアには、前記商品及び／又はサービスの購入情報を保存する保存手段を備えたことを特徴とする請求項１、２、３又は４に記載のインターネットシステム。
【請求項２６】
前記ソフトウェアには、前記商品及び／又はサービスの販売価格の最高額、平均額及び底値のいずれか少なくとも一つを取得する販売価格取得手段と、
該販売価格取得手段で取得された販売価格を表示する価格表示手段を備えたことを特徴とする請求項１、２、３又は４に記載のインターネットシステム。
【請求項２７】
前記ソフトウェアには、前記商品及び／又はサービスを購入する際の参考となる各商店等及び／又は各機種毎の売れ筋情報やお勧め情報等を記載する商品等情報記載手段を備えたことを特徴とする請求項１、２、３又は４に記載のインターネットシステム。
【請求項２８】
商品及び／又はサービスを扱う商店等と、
インターネット上に掲載された該商店等のホームページと、
該ホームページを閲覧するユーザと、
所定の価格範囲と前記各商品等の属性を基に決められる各条件を満足する前記商品及び／又はサービスの売れ筋情報やお勧め情報等の情報データを予め保存する保存手段と、
前記価格範囲及び／又は前記各商品等の条件を指定する指定手段と、
前記保存手段に保存された前記情報データの内から前記指定手段で指定された条件に該当する情報データを抽出する抽出手段と、
該抽出手段で抽出された前記情報データを前記ユーザに対し表示する表示手段とを備えたことを特徴とするインターネットシステム。
【請求項２９】
請求項１、２、３、４、５、６、１６、２５、２６又は２７に記載の前記ソフトウェアのプログラムが保存された記録媒体。
【手続補正２】
【補正対象書類名】明細書
【補正対象項目名】００２６
【補正方法】変更
【補正の内容】
【００２６】
更に、本発明（請求項９）は、商品及び／又はサービスを扱う商店等と、インターネット上に掲載された該商店等のホームページと、該商店等のホームページを閲覧するユーザと、前記商品及び／又はサービスに関し前記商店等又は前記ホームページを掲載するＷＷＷサーバにより設定され、該ホームページに提示された希望販売価格又は希望販売率と、該希望販売価格又は希望販売率より低い金額又は販売率にて前記ユーザとの間で値段交渉を可能とする値段交渉手段とを備えて構成した。
【手続補正３】
【補正対象書類名】明細書
【補正対象項目名】００２８
【補正方法】変更
【補正の内容】
【００２８】
しかしながら、値段交渉手段によれば、希望販売価格又は希望販売率の他に各商店等が固有に定めた、この希望販売価格等より低い販売価格等が存在することになる。値段交渉手段は、既に表示されている希望販売価格等より低い交渉とする金額等を、商店等又はＷＷＷサーバがユーザに対し提示、希望販売価格等より低い交渉とする金額等をユーザが商店等又はＷＷＷサーバに対し提示、商店等又はＷＷＷサーバがユーザの提示した金額等で商品等を販売できるか否かの判断のいずれか少なくとも一つを含む手段である。商店等又はＷＷＷサーバが提示する金額等は公開されていないため、ユーザには商店等の本当の販売価格等が不明であり、他店と比較することはできない。このため、商店等は他店を意識することなく希望販売価格等を任意の値段等で提示可能である。また、ユーザにとっては、本当の販売価格等が不明である分スリルがあり、買い物が楽しくなる。なお、販売率には値引き率も含めて考える（以下、同旨）。
希望販売価格等には、商品等の直接の価格を設定可能である。但し、商品等の価格に対し消費税、送料等を込みとした全体の価格（予算金額）を設定可能としてもよい。
更に、本発明（請求項１０）は、前記希望販売価格又は希望販売率を参考に前記商品及び／又はサービスに関し前記ユーザが指定する希望購入価格又は希望購入率を更に備え、前記値段交渉手段は、前記商品及び／又はサービスに関し、前記希望販売価格又は希望販売率より低く前記商品及び／又はサービスの販売が可能な所定価格若しくは所定販売率と、前記希望購入価格又は希望購入率が該所定価格若しくは所定販売率以上か否かを判断する判断手段と、該判断手段で前記希望購入価格又は希望購入率が前記所定価格若しくは所定販売率以上のとき販売を許可する販売許可手段を備えて構成した。
【手続補正４】
【補正対象書類名】明細書
【補正対象項目名】００３１
【補正方法】変更
【補正の内容】
【００３１】
更に、本発明（請求項１２）は、前記希望販売価格又は希望販売率を参考に前記商品及び／又はサービスに関し前記ユーザが指定する希望購入価格又は希望購入率を更に備え、前記値段交渉手段では、該希望購入価格又は希望購入率で前記商品及び／又はサービスが売れるかどうかを判断し、売れないときには前記希望販売価格又は希望販売率以下で前記希望購入価格又は希望購入率以上の所定の金額又は販売率を前記ユーザに対し提示することを特徴とする。
希望購入価格又は希望購入率を設けたことで、ユーザの当該ホームページへの参加を促すことができる。また、希望購入価格等で商品等が販売されない場合には、ユーザは希望購入価格等が低すぎたことを認識できる。更に、ユーザを長くこのホームページに止めることができる。従って、広告等を掲載すれば効果的である。
【手続補正５】
【補正対象書類名】明細書
【補正対象項目名】００３２
【補正方法】変更
【補正の内容】
【００３２】
更に、本発明（請求項１３）は、前記希望販売価格又は希望販売率を参考に前記商品及び／又はサービスに関し前記ユーザが指定する希望購入価格又は希望購入率を更に備え、前記値段交渉手段は、前記商品及び／又はサービスに関し、前記希望販売価格又は希望販売率より低く前記商品及び／又はサービスの販売が可能な最低の価格若しくは販売率である底値又は底販売率と、該底値又は底販売率以上でかつ前記希望販売価格又は希望販売率以下に定められる交渉値と、前記希望購入価格又は希望購入率が該交渉値以上か否かを判断する判断手段と、該判断手段で前記希望購入価格又は希望購入率が前記交渉値以上のとき販売を許可する販売許可手段を備えて構成した。
【手続補正６】
【補正対象書類名】明細書
【補正対象項目名】００３３
【補正方法】変更
【補正の内容】
【００３３】
交渉値は商店等が自由に定められるようにしてもよい。底値には、金額の他に希望販売価格に対する割合値（例えば希望販売価格の７０パーセント等の底販売率）も含んで考える。底値等は、ユーザには不明であり、ユーザはこの底値等を探ろうと様々な作戦を立てるはずである。このため、ユーザを長くこのホームページに止めることができる。また、ユーザは自分の交渉術やカン如何で商品等を安く購入できるチャンスを得ることができる。底値等は毎月変動させる等することが望ましい。また、お得意様の程度に応じて異ならせるのが望ましい。
【手続補正７】
【補正対象書類名】明細書
【補正対象項目名】００３４
【補正方法】変更
【補正の内容】
【００３４】
更に、本発明（請求項１４）は、ホームページ提供者と、インターネット上に掲載された該ホームページ提供者のホームページと、該ホームページを閲覧するユーザと、該ユーザに対し前記ホームページ提供者又は前記ホームページを掲載するＷＷＷサーバより送信され、前記ホームページ提供者により提供された情報が含まれる電子メールと、前記ユーザに対し前記ホームページ上で該電子メールに掲載を希望する情報項目を選択させる情報項目選択手段とを備えて構成した。
【手続補正８】
【補正対象書類名】明細書
【補正対象項目名】００４９
【補正方法】変更
【補正の内容】
【００４９】
更に、本発明（請求項２１）は、前記各値段交渉手段による値段交渉の成立した価格を基に価格差を算出する価格差算出手段と、該価格差算出手段で算出された価格差又は該価格差を基に算出されたデータを前記ユーザ毎に蓄積する蓄積手段とを備えて構成した。
【手続補正９】
【補正対象書類名】明細書
【補正対象項目名】００５０
【補正方法】変更
【補正の内容】
【００５０】
値段交渉の成立した価格を基に価格差を算出し、この価格差をポイントや点数等の形で蓄積することで、後に他の商品等の購入の際に使用可能としたり、ある程度蓄積された所で景品や現金等に代えたり等可能である。この際には、ユーザにとっては、値段交渉の努力の成果としてポイント等の蓄積されることが楽しみとなる。従って、購入意欲や購入に対する努力、研究も更に促進される。ホームページを訪れる機会も増えることで、広告等の宣伝効果も増す。値段交渉による感動を維持しつつ、例えば、一律の希望販売価格にて商品等の取引が可能となるので、処理作業が簡単に行える。販売促進にもつながる。
【手続補正１０】
【補正対象書類名】明細書
【補正対象項目名】００６３
【補正方法】変更
【補正の内容】
【００６３】
更に、本発明（請求項２８）は、商品及び／又はサービスを扱う商店等と、インターネット上に掲載された該商店等のホームページと、該ホームページを閲覧するユーザと、所定の価格範囲と前記各商品等の属性を基に決められる各条件を満足する前記商品及び／又はサービスの売れ筋情報やお勧め情報等の情報データを予め保存する保存手段と、前記価格範囲及び／又は前記各商品等の条件を指定する指定手段と、前記保存手段に保存された前記情報データの内から前記指定手段で指定された条件に該当する情報データを抽出する抽出手段と、該抽出手段で抽出された前記情報データを前記ユーザに対し表示する表示手段とを備えて構成した。